(57)【要約】【課題】センターケースの着脱作業が容易で且つその発光態様を向上できる遊技機を提供する。【解決手段】遊技領域１３を前側に有し且つその所定箇所に前後方向に貫通した装着孔１１ａを有する遊技盤１１と、装着孔１１ａ箇所に表示画面２２ａが位置する画像表示手段２２と、遊技盤１１の前側で装着孔１１ａ周囲箇所に装着されるセンターケース１４と、遊技盤１１の後側で且つ正面視で装着孔１１ａ内に位置する発光手段５０と、センターケース１４における遊技盤１１の装着孔１１ａ内箇所に位置し且つ発光手段５０からの光が照射される左部発光装飾部４１Ｌ，右部発光装飾部４１Ｒと、装着孔１１ａ箇所に位置する透明区画部材４０と、透明区画部材４０における、発光手段５０から左部発光装飾部４１Ｌ，右部発光装飾部４１Ｒに光照射される照射領域と重なる箇所をそれぞれ切り欠いた左側切欠き部４５Ｌ，右側切欠き部４５Ｒと、を備える。【選択図】図２
2014083242.tif 000002
【特許請求の範囲】
【請求項１】
遊技球が流下する遊技領域を前側に有し且つ当該遊技領域の所定箇所に前後方向に貫通した開口を有する遊技盤と、前記遊技盤の後側から前記開口箇所に表示画面の一部又は全部が位置するように配設される画像表示手段と、前記遊技盤の前側で前記開口周囲箇所に装着され且つ前記開口に対応する視認窓を有する装飾部材と、を備える遊技機において、前記遊技盤の表面よりも後側で且つ正面視で前記開口内に少なくとも一部が定常的に位置する又は変位することで位置する発光手段と、前記装飾部材における前記遊技盤の前記開口内箇所に位置し且つ前記発光手段からの光が照射される光透過部と、前記開口箇所の所定領域に位置する透明仕切り板と、前記透明仕切り板における、前記発光手段から前記光透過部に光照射される照射領域と重なる箇所を切り欠いた切欠き部と、を備えることを特徴とする遊技機。
【請求項２】
前記装飾部材は、前記光透過部の周囲所定箇所に形成された非発光部を備え、前記切欠き部の境界部が前記非発光部の背後に位置していることを特徴とする請求項１に記載の遊技機。
【請求項３】
前記装飾部材は、前記発光手段を視認可能な窓部を備えることを特徴とする請求項２に記載の遊技機。
【請求項４】
前記切欠き部の前記境界部は前記発光手段の外形に対応した形状としていることを特徴とする請求項１〜３の何れかに記載の遊技機。
【請求項５】
前記遊技盤は透明遊技盤であり、前記発光手段は、第１発光部と第２発光部とを備え、前記第１発光部を前記透明遊技盤の後側に位置させ当該第１発光部からの光を当該透明遊技盤の背後箇所に照射し、前記第２発光部を前記透明遊技盤の後側で且つ前記装飾部材の背後に位置させ前記第２発光部からの光を前記光透過部に照射することを特徴とする請求項１〜４の何れかに記載の遊技機。
【請求項６】
前記発光手段を、前記遊技盤の後側で且つ正面視で前記開口外の第１位置と、前記遊技盤の後側で且つ正面視で前記開口内の第２位置と、に変位可能な変位手段を備えることを特徴とする請求項１〜４の何れかに記載の遊技機。
【発明の詳細な説明】
【技術分野】
【０００１】
本発明は、パチンコ機等の遊技機に関するものである。
【背景技術】
【０００２】
パチンコ機等の遊技機では、透明遊技盤の前側に、ガイドレールで取り囲まれた遊技領域が設けられており、この遊技領域の正面視で中央箇所に形成された開口に対して前側からセンターケースが装着され、当該開口から画像表示手段（液晶ディスプレイ等）の表示画面が視認可能となるように透明遊技盤の後側から当該画像表示手段が配設されたものがある。このセンターケースは、正面視で透明遊技盤の開口に対応する視認窓と、この視認窓を塞ぐ透明仕切り板とを備えており、この透明仕切り板により遊技球がセンターケースの奥側に進入することを防止している（特許文献１）。
【先行技術文献】
【特許文献】
【０００３】
【特許文献１】特開２０１１−１６０８１９号公報
【発明の概要】
【発明が解決しようとする課題】
【０００４】
前述した遊技機において、例えばセンターケースを、その前面所定箇所に形成された透光性の発光部と、この発光部の背面に光を照射するＬＥＤ実装基板とを備える構成とする場合には、ＬＥＤ実装基板が透明遊技盤の背面側の制御基板（例えば音声ランプ制御基板）等に対して短い引き回しの配線で接続されているため、センターケースの遊技盤へのネジ止めを解除しても当該センターケースが遊技盤にその配線で接続されたままで遊技盤から引き離せないことから、当該配線のコネクタが外し難く、センターケースの着脱作業が煩わしいという問題がある。
【０００５】
そこで、透明遊技盤の後側で且つ正面視で開口内に少なくとも一部が位置する箇所に装飾ランプを配設するとともに、この装飾ランプからの光で発光する透光性の発光部をセンターケースの所定箇所に設けることで、センターケースが発光可能でその着脱作業を容易とすることが考えられるが、この場合には、装飾ランプからの光が透明仕切り板の背面箇所で反射されてしまい、センターケースにおける透明仕切り板前側の発光部への光照射が弱くなってしまい、センターケースの発光部の発光態様の改善が求められる。
【０００６】
本発明は、上記事情に鑑みてなされたものであり、センターケースの着脱作業が容易で且つ当該センターケースの発光部の発光態様を向上させることができる遊技機を提供することを目的とする。
【課題を解決するための手段】
【０００７】
本発明は、遊技球が流下する遊技領域１３を前側に有し且つ当該遊技領域１３の所定箇所に前後方向に貫通した開口１１ａを有する遊技盤１１と、前記遊技盤１１の後側から前記開口１１ａ箇所に表示画面２２ａの一部又は全部が位置するように配設される画像表示手段２２と、前記遊技盤１１の前側で前記開口１１ａ周囲箇所に装着され且つ前記開口１１ａに対応する視認窓４３を有する装飾部材１４と、を備える遊技機において、前記遊技盤１１の表面よりも後側で且つ正面視で前記開口１１ａ内に少なくとも一部が定常的に位置する又は変位することで位置する発光手段５０と、前記装飾部材１４における前記遊技盤１１の前記開口１１ａ内箇所に位置し且つ前記発光手段５０からの光が照射される光透過部４１Ｌ，４１Ｒと、前記開口１１ａ箇所の所定領域に位置する透明仕切り板４０と、前記透明仕切り板４０における、前記発光手段５０から前記光透過部４１Ｌ，４１Ｒに光照射される照射領域と重なる箇所を切り欠いた切欠き部４５Ｌ，４５Ｒと、備えることを特徴とするものである。
【０００８】
なお、遊技盤１１としては、合板（ベニヤ板）により形成される木製のものや、透明樹脂により形成される透明樹脂製のもの（透明遊技盤）や、当該木製であって発光手段５０の配設箇所に透明部が配設されたものなどが挙げられる。
【０００９】
また、前記装飾部材１４は、前記光透過部４１Ｌ，４１Ｒの周囲所定箇所に形成された非発光部４２を備え、前記切欠き部４５Ｌ，４５Ｒの境界部４６が前記非発光部４２の背後に位置しているとしてもよい。
【００１０】
また、前記装飾部材１４は、前記発光手段５０を視認可能な窓部４７を備えるとしてもよい。また、前記切欠き部４５Ｌ，４５Ｒの前記境界部４６は前記発光手段５０の外形に対応した形状としてもよい。
【００１１】
また、前記遊技盤１１は透明遊技盤１１であり、前記発光手段５０は、第１発光部７１と第２発光部７２とを備え、前記第１発光部７１を前記透明遊技盤１１の後側に位置させ当該第１発光部７１からの光を当該透明遊技盤１１の背後箇所に照射し、前記第２発光部７２を前記透明遊技盤１１の後側で且つ前記装飾部材１４の背後に位置させ前記第２発光部７２からの光を前記光透過部４１Ｌ，４１Ｒに照射する構成としてもよい。
【００１２】
また、前記発光手段５０を、前記遊技盤１１の後側で且つ正面視で前記開口１１ａ外の第１位置と、前記遊技盤１１の後側で且つ正面視で前記開口１１ａ内の第２位置と、に変位可能な変位手段６０を備えるとしてもよい。
【００１３】
なお、前記装飾部材１４は、複数の前記光透過部５５，５６を備え、前記変位手段８０は、前記発光手段５０を、前記遊技盤１１の後側で且つ正面視で前記複数の光透過部５５，５６に重なる各位置に変位する構成としてもよい。また、前記装飾部材１４は、複数の前記光透過部５５，５６と、前記発光手段５０を視認可能な窓部４７とを備え、前記変位手段８０は、前記発光手段５０を、前記遊技盤１１の後側で且つ正面視で前記複数の光透過部５５，５６に重なる各位置と前記窓部４７に重なる位置とに変位する構成としてもよい。また、前記発光手段５０は、前記遊技盤１１の後側又はその開口１１ａ内に位置する可動役物に設けられ、前記変位手段６０，８０によって前記可動役物自体又は前記発光手段５０を変位することで、前記発光手段５０を、前記遊技盤１１の後側で且つ正面視で前記光透過部５５，５６の背後位置に変位する構成としてもよい。
【発明の効果】
【００１４】
本発明によれば、センターケースの着脱作業が容易で且つ当該センターケースの発光部の発光態様を向上させることができる遊技機を提供することができる。
【図面の簡単な説明】
【００１５】
【図１】本発明の第１の実施形態を示すパチンコ機の斜視図である。
【図２】同パチンコ機の正面図である。
【図３】同じくパチンコ機のセンターケース箇所の正面図である。
【図４】同じくパチンコ機のセンターケースの左端箇所のＡ−Ａ線断面図である。
【図５】第２の実施形態のパチンコ機の拡大断面図である。
【図６】同じく遊技盤のセンターケース左端箇所の拡大正面図であって（ａ）は発光手段が遊技盤の背後に位置、（ｂ）はセンターケースの背後に位置する様子を示す。
【図７】第２の実施形態のパチンコ機のセンターケースの左端箇所の横断面図である。
【図８】第３の実施形態のパチンコ機のセンターケースの左端箇所の横断面図である。
【図９】第４の実施形態のパチンコ機のセンターケースの左端箇所の横断面図である。
【図１０】第５の実施形態のパチンコ機のセンターケースの左端箇所の拡大平面図である。
【図１１】同じくセンターケースの左端箇所の横断面図である。
【発明を実施するための形態】
【００１６】
以下、本発明の実施形態を図面に基づいて詳述する。図１〜図４は本発明をパチンコ機に採用した一実施形態を例示している。図１において、遊技機１は、矩形状の外枠２と、この外枠２の前側に開閉自在に枢着された前枠３とを備えている。前枠３の前側には、ガラス扉４と前面板５とが上下に配置され、このガラス扉４と前面板５とが前枠３に開閉自在に枢支されている。
【００１７】
前面板５には、その前側に、発射手段（図示省略）に供給するための遊技球を貯留する貯留皿６、発射手段を作動させるための発射ハンドル７等が設けられている。
【００１８】
ガラス扉４に設けられた窓孔８には例えば２枚のガラス板９（透明樹脂板等であってもよい）が嵌め込まれ、その後側には図２に示す遊技盤１１が前枠３に対して例えば前側から着脱自在に装着されている。遊技盤１１の前面側には、発射手段から発射された遊技球を案内するガイドレール１２が環状に装着されると共に、そのガイドレール１２の内側の遊技領域１３に、センターケース１４（装飾部材）、普通図柄始動手段１５、特別図柄始動手段１６、大入賞手段１７、普通入賞手段１８等の各種遊技部品が配置されている。なお、ガラス扉４の閉状態では、ガラス板９は、遊技盤１１の遊技領域１３に対して遊技球が流下可能な間隔（遊技球の直径よりも大きく遊技球２個分よりも小さい間隔）を空けて位置している。
【００１９】
センターケース１４は、図４に示すように、遊技盤１１の前後方向に開口した装着孔１１ａ（開口）に対して前側から着脱自在に装着される前構造体２１と、液晶式その他の画像表示手段２２が装着され且つ前構造体２１に対応して遊技盤１１の裏側に着脱自在に装着される後構造体２３とを備えている。遊技盤１１の装着孔１１ａは、例えばルータ加工により形成されている。前構造体２１は、図２、図３に示すように、正面視で外縁箇所に点在形成された貫通孔に挿入したネジを、遊技盤１１に螺入することで、前構造体２１を遊技盤１１に固定している。
【００２０】
前構造体２１は、図２に示すように、装着孔１１ａに沿って配置される環状の装飾枠２４と、この装飾枠２４の下部側に沿って左右方向に配置され且つ入球口２５に入球してワープ通路（図示省略）を通って案内された遊技球を自由に転動させて前側に落下させるステージ２６とを備え、装飾枠２４上に、普通図柄表示手段２７、特別図柄表示手段２８、普通保留個数表示手段２９等が設けられている。なお、普通図柄表示手段２７、特別図柄表示手段２８又は普通保留個数表示手段２９の少なくとも一つを、装飾枠２４ではなく、画像表示手段２２において画像表示するようにしてもよいし、遊技領域１３外の所定箇所に設けるようにしてもよい。
【００２１】
また、後構造体２３は、図４に示すように、その後側に装着される画像表示手段２２の表示画面２２ａに対応する例えば矩形状の表示窓３１が形成された背壁部３２と、この背壁部３２の外縁側から前向きに延設された周壁部３３とを一体に備えている。なお、画像表示手段２２は、図２に示すように、演出図柄表示手段３５と特別保留個数表示手段３６とを備えている。この特別保留個数表示手段３６を装飾枠２４に設けるようにしてもよいし、遊技領域１３外の所定箇所に設けるようにしてもよい。
【００２２】
画像表示手段２２は、図４に示すように、後構造体２３によって装着孔１１ａ後方に形成される開口空間２３ａを介して表示画面２２ａが視認可能に配設されている。
【００２３】
ところで、図２に示すように、普通図柄表示手段２７は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２４】
また、普通図柄表示手段２７の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２９がその発光個数により当たり判定乱数値の記憶個数（以下、普通保留個数という）を表示して、その時点での普通保留個数を遊技者に報知するようになっている。
【００２５】
特別図柄始動手段１６は、特別図柄表示手段２８による図柄変動を開始させるためのもので、例えば上下２つの特別始動口１６ａ，１６ｂを備え、センターケース１４の下側等に配置されている。上側の特別始動口１６ａは開閉手段等を有しない非作動式入賞口、下側の特別始動口１６ｂは開閉手段３８により開閉可能な作動式入賞口で、普通図柄表示手段２７の変動後の停止図柄が当たり態様となって普通利益状態が発生したときに、開閉手段３８が所定時間、所定回数だけ閉状態から開状態に変化するように構成されている。
【００２６】
特別図柄表示手段２８は、１個又は複数個、例えば１個の特別図柄（遊技図柄）を変動表示可能な７セグメント式等の表示手段により構成されており、特別図柄始動手段１６の特別始動口１６ａ，１６ｂの何れかに遊技球が入賞することを条件に特別図柄を所定時間変動表示して、特別始動口１６ａ，１６ｂへの入賞時に取得された大当たり判定乱数値が予め定められた大当たり判定値と一致する場合には所定の大当たり態様で、それ以外の場合には外れ態様で停止するようになっている。
【００２７】
特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００２８】
また、特別図柄の変動表示中、又は後述する特別利益状態中に特別始動口１６ａ，１６ｂに遊技球が入賞した場合には、その入賞時に取得された大当たり判定乱数値等が夫々所定の上限保留個数、例えば各４個を限度として記憶されると共に、特別保留個数表示手段３６が大当たり判定乱数値の記憶個数  （以下、特別保留個数という）を表示して、その時点での特別保留個数を遊技者に報知するようになっている。
【００２９】
演出図柄表示手段３５は、例えば特別図柄表示手段２８による特別図柄の変動表示と並行して演出図柄を変動表示するもので、１個又は複数個、例えば左右方向に３個の演出図柄を例えば各種の演出画像と共に画像表示手段２２の表示画面２２ａに変動表示可能に構成されており、特別図柄始動手段１６の特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００３０】
また、特別保留個数表示手段３６は、特別保留個数を報知するもので、表示画面２２ａ上の所定箇所に特別保留個数分のシンボルを表示するようになっている。
【００３１】
大入賞手段１７は、遊技球が入賞可能な開状態と入賞不可能な閉状態とに切り換え可能な開閉板３９を備えた作動式入賞手段で、特別図柄表示手段２８の変動後の特別図柄が大当たり態様となることに基づいて特別利益状態が発生したときに、開閉板３９が所定の開放パターンに従って前側に開放して、その上に落下した遊技球を内部へと入賞させるようになっている。
【００３２】
後構造体２３は、図４に示すように、遊技盤１１の後側で且つ正面視で装着孔１１ａ内に例えば定常的に位置する発光手段５０を備えている。具体的には、後構造体２３の周壁部３３により形成される窪み空間の左端箇所及び右端箇所に、発光手段５０がそれぞれ配設されている。発光手段５０は、ＬＥＤ５１（発光ダイオード）を実装したＬＥＤ実装基板５２と、このＬＥＤ実装基板５２が装着される取付板５３と、このＬＥＤ実装基板５２の前方に位置して取付板５３に係止され且つＬＥＤ５１からの光で発光する光透過性の前カバー部５４とを備え、前カバー部５４の前面が例えば面状発光するものである。なお、前カバー部５４の前面の面状発光は一様であってもよいし、ＬＥＤ５１の対応箇所では発光強度が高くそれ以外の箇所では低いとする発光態様であってもよいし、前カバー部５４を備えない構成としてもよい。
【００３３】
前構造体２１は、図２〜図４に示すように、その正面視で左端箇所及び右端箇所にそれぞれ形成された左側装飾部３０Ｌ及び右側装飾部３０Ｒを備えている。具体的には、図４に示すように、左側装飾部３０Ｌ及び右側装飾部３０Ｒの背面に突出したそれぞれのボス部３７に、装飾枠２４の左端箇所及び右端箇所の貫通孔２４ａに挿入したネジ３７ａを螺入することで、左側装飾部３０Ｌ及び右側装飾部３０Ｒを装飾枠２４に固定している。
【００３４】
この左側装飾部３０Ｌは、左側の発光手段５０からの光が照射されて発光する光透過性の左部発光装飾部４１Ｌ（光透過部）と、この左部発光装飾部４１Ｌの周囲に形成されて光が透過しない非発光装飾部４２（非発光部）と、を備えている。
【００３５】
また、右側装飾部３０Ｒも前記と同様に、右側の発光手段５０からの光が照射されて発光する光透過性の右部発光装飾部４１Ｒ（光透過部）と、この右部発光装飾部４１Ｒの周囲に形成されて光が透過しない非発光装飾部４２（非発光部）と、を備えている。また、前構造体２１は、その正面視で中央箇所に、画像表示手段２２の表示画面２２ａが視認可能な視認開口部４３（視認窓）を備えている。
【００３６】
また、前構造体２１は、図２〜図４に示すように、遊技盤１１の後側で且つ正面視で装着孔１１ａ内に位置するように透明薄板状の透明区画部材４０（透明仕切り板）が装着されている。具体的には、図４に示すように、装飾枠２４の後方に突出したボス部３４に、透明区画部材４０の貫通孔４０ａに挿入したネジ３４ａを螺入することで、透明区画部材４０を装飾枠２４に固定している。この透明区画部材４０は、画像表示手段２２を保護するためのものである。さらに、この透明区画部材４０の下部側では、ステージ２６（図２参照）を転動する遊技球が当該ステージ２６よりも奥側に進入することを阻止するように当該ステージ２６とそれよりも奥側とを区画するものでもある。つまり、透明区画部材４０は、ステージ２６を転動する遊技球が開口空間２３ａに進入することを阻止するようにステージ２６と開口空間２３ａとを区画している。なお、この透明区画部材４０は、例えば上下に二分割し、その上側透明区画部材を画像表示手段２２の保護用とし、その下側透明区画部材をステージ２６用としてもよい。
【００３７】
また、透明区画部材４０は、図２〜図４に示すように、左側の発光手段５０から左部発光装飾部４１Ｌに光照射される照射領域と重なる箇所を切り欠いた左側切欠き部４５Ｌ（切欠き部）と、右側の発光手段５０から右部発光装飾部４１Ｒに光照射される照射領域と重なる箇所を切り欠いた右側切欠き部４５Ｒ（切欠き部）とを備えている。図３に示すように、左側切欠き部４５Ｌの境界部４６は左側の非発光装飾部４２の背後に位置し、右側切欠き部４５Ｒの境界部４６は右側の非発光装飾部４２の背後に位置している。
【００３８】
また、左側切欠き部４５Ｌの境界部４６は、図３に示すように、左側の発光手段５０の外形（矩形状の上辺、右辺及び下辺）に対応した形状（凹部形状）としている。右側切欠き部４５Ｒの境界部４６も、右側の発光手段５０の外形（矩形状の上辺、左辺及び下辺）に対応した形状（凹部形状）としている。
【００３９】
遊技機１は、遊技動作を統括的に制御する主制御基板（図示省略）と、この主制御基板からのコマンドに基づいて、画像表示手段２２の表示制御（例えば演出図柄表示手段３５の表示制御など）を行うサブ制御基板（図示省略）とを備えている。このサブ制御基板は、画像表示手段２２の表示内容に応じて、ガラス扉４に配設されたスピーカ（図示省略）の音出力口１０から所定の音声（声、音楽、効果音など各種の音）を出力する制御も行うものとしてもよい。
【００４０】
例えば、サブ制御基板は、左側の発光手段５０及び右側の発光手段５０を発光（電飾）制御しており、遊技演出内容に同期（対応）して、左側の発光手段５０及び右側の発光手段５０からの光で左部発光装飾部４１Ｌ及び右部発光装飾部４１Ｒがそれぞれ発光するようになっている。この遊技演出内容としては、例えば、演出図柄表示手段３５における演出図柄の変動表示を特定する変動パターンの種類、大入賞手段１７を所定の開放パターンに従って開放する特別利益状態の発生、特別利益状態発生後の所定期間に遊技者に有利な特別遊技状態（時短状態、確変状態など）の発生などが挙げられる。
【００４１】
左部発光装飾部４１Ｌは、図２、図３に示すように、左側の発光手段５０からの光で発光するものであり、有色の光透過性樹脂により形成されている。例えば、左部発光装飾部４１Ｌは、その前面側に所定の模様、形状（例えばキャラクタ）を施し、その背面から照射された光によって前面側が発光するものが挙げられる。なお、左部発光装飾部４１Ｌは、例えば、表面又は裏面の少なくとも一方を微小の凹凸形状としたり、光拡散粒子を内在した樹脂成形品としたりして、その全体が発光するようにしてもよい。
【００４２】
また、左部発光装飾部４１Ｌの周囲の非発光装飾部４２は、左部発光装飾部４１Ｌとは別体であり、有色で光を透過しない非透過性樹脂により形成されている。この非発光装飾部４２に左部発光装飾部４１Ｌが装着（係止、接着、締結、嵌合、スライド支持、嵌合など）されている。この非発光装飾部４２は左部発光装飾部４１Ｌとは異なる色としているが、同系色や同一色としてもよい。
【００４３】
また、右部発光装飾部４１Ｒも前述した左部発光装飾部４１Ｌと同様の構成としおり、右部発光装飾部４１Ｒの周囲の非発光装飾部４２についても、前述した左部発光装飾部４１Ｌの周囲の非発光装飾部４２と同様の構成としているため、これらについての詳細な説明を省略する。
【００４４】
この実施形態では、遊技球が流下する遊技領域１３を前側に有し且つ当該遊技領域１３の所定箇所に前後方向に貫通した装着孔１１ａを有する遊技盤１１と、この遊技盤１１の後側から装着孔１１ａ箇所に表示画面２２ａの全部が位置するように配設される画像表示手段２２と、遊技盤１１の前側で装着孔１１ａ周囲箇所に装着され且つ装着孔１１ａに対応する視認開口部４３を有するセンターケース１４と、を備えるパチンコ機（遊技機）において、遊技盤１１の表面よりも後側で且つ正面視で装着孔１１ａ内に位置する発光手段５０と、センターケース１４における遊技盤１１の装着孔１１ａ内箇所に位置し且つ発光手段５０からの光が照射される左部発光装飾部４１Ｌ，右部発光装飾部４１Ｒと、装着孔１１ａ箇所に位置する透明区画部材４０と、透明区画部材４０における、発光手段５０から左部発光装飾部４１Ｌ，右部発光装飾部４１Ｒに光照射される照射領域と重なる箇所をそれぞれ切り欠いた左側切欠き部４５Ｌ，右側切欠き部４５Ｒと、を備えている。
【００４５】
したがって、センターケース１４の左部発光装飾部４１Ｌ，右部発光装飾部４１Ｒは、遊技盤１１側の発光手段５０からの光が照射されて発光するので、このセンターケース１４にＬＥＤ実装基板５２及びその配線などを配設することを不必要とすることができ、センターケース１４の装着解除（ネジ止めを解除）とするだけでこのセンターケース１４を遊技盤１１から完全に分離することができ、センターケース１４からの着脱作業が容易とすることができる。また、透明区画部材４０において光照射領域と重なる箇所を切り欠いた左側切欠き部４５Ｌ，右側切欠き部４５Ｒとしているので、発光手段５０からの光が透明区画部材４０で反射されることなくセンターケース１４の左部発光装飾部４１Ｌ，右部発光装飾部４１Ｒに照射され、センターケース１４の左部発光装飾部４１Ｌ，右部発光装飾部４１Ｒの発光態様を向上させることができる。
【００４６】
また、透明区画部材４０の左側切欠き部４５Ｌ，右側切欠き部４５Ｒの境界部４６がセンターケース１４の非発光装飾部４２の背後に位置しているので、左側切欠き部４５Ｌ，右側切欠き部４５Ｒの境界部４６を隠すことができ、左側切欠き部４５Ｌ，右側切欠き部４５Ｒの存在を遊技者に気付き難くすることができる。
【００４７】
また、透明区画部材４０における左側切欠き部４５Ｌ，右側切欠き部４５Ｒの境界部４６は、発光手段５０の外形に対応した形状としているので、左側切欠き部４５Ｌ，右側切欠き部４５Ｒの境界部４６が発光手段５０の外形に一致しており、左側切欠き部４５Ｌ，右側切欠き部４５Ｒの境界部４６に気付き難くすることができる。
【００４８】
次に、図５〜図７を用いて本発明の第２の実施形態を例示する。前述した第１の実施形態では図４に示すように木製の遊技盤１１及び固定式（定常的な）の発光手段５０を採用しているが、この第２の実施形態では、透明樹脂製の透明な遊技盤１１及び可動式（変位可能な）の発光手段５０を採用している点が、前述した第１の実施形態とは異なっている。他の構成は第１の実施形態と同様である。
【００４９】
第２の実施形態の遊技盤１１は、例えば透明樹脂により成形された透明遊技盤であり、その中央箇所の装着孔１１ａがルータ加工により形成されている。この第２の実施形態では、発光手段５０を、図５〜図７に示すように、遊技盤１１の後側で且つ正面視で装着孔１１ａ外の第１位置（開口外位置：図６（ａ）及び図７の実線で示す発光手段５０を参照）と、遊技盤１１の後側で且つ正面視で装着孔１１ａ内の第２位置（開口内位置：図６（ｂ）及び図７の二点鎖線で示す発光手段５０を参照）と、に変位させる変位機構６０（変位手段）を備えている。
【００５０】
つまり、発光手段５０が第１位置（開口外位置）に位置する場合には、図６（ａ）、図７に示すように、発光手段５０からの光が透明な遊技盤１１を介して前方に照射され、遊技盤１１が発光装飾された状態とすることができる。なおこのときセンターケース１４の左部発光装飾部４１Ｌは非発光となる。また、発光手段５０が第２位置（開口内位置）に位置する場合には、図６（ｂ）、図７に示すように、発光手段５０からの光が左部発光装飾部４１Ｌに照射され、この左部発光装飾部４１Ｌが発光装飾された状態とすることができる。なおこのとき遊技盤１１の前記箇所は非発光となる。また、発光手段５０が発光状態のままで第１位置（開口外位置）と第２位置（開口内位置）との間を移動してもよく、この場合には、かかる発光手段５０の発光移動態様を遊技者に提供することができる。また、発光手段５０の移動の際には消灯状態とし、第１位置（開口外位置）又は第２位置（開口内位置）に位置するときに発光させるようにしてもよい。
【００５１】
この発光手段５０は、前述の第１の実施形態と同様に、ＬＥＤ５１（発光ダイオード）を実装したＬＥＤ実装基板５２と、このＬＥＤ実装基板５２が装着される取付板５３と、このＬＥＤ実装基板５２の前方に位置して取付板５３に係止され且つＬＥＤ５１からの光で発光する光透過性の前カバー部５４とを備え、前カバー部５４の前面が例えば面状発光するものである。
【００５２】
変位機構６０は、後構造体２３に固定されるケース部６１と、このケース部６１の内部に固定された動力源であるステッピングモータ６２と、このステッピングモータ６２の回転軸に連結された駆動ギア６３、ケース部６１の内部で駆動ギア６３から横方向に間隔を空けた箇所に回動可能に軸支された従動軸６４と、この従動軸６４に連結された従動ギア６５と、駆動ギア６３と従動ギア６５とに掛けられた歯付きベルト６６と、取付板５３の背面側に突出形成され且つ歯付きベルト６６の一部箇所を挟持する挟持部６７と、ケース部６１に形成され且つ挟持部６７が挿入されて横方向に移動可能な横長孔形状のスリット部６８と、を備えている。
【００５３】
ステッピングモータ６２の回転力が駆動ギア６３に伝達されて歯付きベルト６６が駆動されると共に、従動ギア６５が従動回転することで、歯付きベルト６６に挟持部６７を介して取り付けられた発光手段５０が横方向にスライド移動する。歯付きベルト６６の手前側ベルト（発光手段５０の挟持部６７に挟持されたベルト部分）が右方向に移動すれば発光手段５０が右方向に移動し、左方向に移動すれば左方向に移動する。
【００５４】
また、この変位機構６０は、発光手段５０の位置を検出する図示省略の位置検出センサ（位置検出手段例えば透過型フォトインタラプタ）を備えており、発光手段５０を第１位置（開口外位置）と第２位置（開口内位置）とに正確に位置させることができる。また、ステッピングモータ６２をステップ制御することにより、第１位置（開口外位置）と第２位置（開口内位置）との間の任意の位置にも正確に位置させることができる。
【００５５】
この変位機構６０は、例えばサブ制御基板（主制御基板や他の制御基板であってもよい）によって駆動制御されており、発光手段５０もサブ制御基板（主制御基板や他の制御基板であってもよい）によって発光制御されており、遊技演出内容（例えば、変動パターンの種類、特別利益状態の発生、特別遊技状態の発生など）に同期（対応）して発光手段５０の駆動及び発光が行われる。
【００５６】
例えば、所定の変動パターン（例えばスーパーリーチ）の場合には、当該変動の開始期間（例えば演出図柄の高速変動期間や、リーチ状態になるまでの期間など）において発光手段５０が第１位置（開口外位置）に位置し、図６（ａ）、図７に示すように、発光手段５０からの光が透明な遊技盤１１を介して前方に照射され、遊技盤１１が発光装飾された状態となる。続いて、前記開始期間後の所定期間（例えば、前記高速変動後で二つの演出図柄が停止するまで）に、発光手段５０が発光状態のままで第１位置（開口外位置）と第２位置（開口内位置）との間を移動する。この発光手段５０の移動の際には消灯状態としてもよい。続いて、前記所定期間の経過時点（例えばリーチ状態の発生時）に、図６（ｂ）、図７に示すように、第２位置（開口内位置）の発光手段５０からの光が左部発光装飾部４１Ｌに照射され、この左部発光装飾部４１Ｌが発光装飾された状態となる。このように、演出図柄の変動表示に同期（連動）させて発光手段５０の駆動及び発光制御することが一例として挙げられる。
【００５７】
この第２の実施形態では、発光手段５０は、図５〜図７に示すように、遊技盤１１の後側で且つ正面視で装着孔１１ａ外の第１位置（開口外位置）と、遊技盤１１の後側で且つ正面視で装着孔１１ａ内の第２位置（開口内位置）と、に変位可能な変位機構６０を備えているので、遊技盤１１（透明遊技盤）が発光する発光状態と、センターケース１４の左部発光装飾部４１Ｌ，右部発光装飾部４１Ｒが発光する発光状態とに変更でき、発光装飾性を向上させることができる。
【００５８】
また、この第２の実施形態では、透明の遊技盤１１を採用しているが、前述の第１の実施形態のように木製の遊技盤１１としてもよい。この場合には、発光手段５０が第１位置（開口外位置）に位置する場合には当該発光手段５０が隠れており（隠れた状態では発光手段５０は消灯状態にすればよい）、センターケース１４の左部発光装飾部４１Ｌ，右部発光装飾部４１Ｒが非発光となり、開口内位置（第２位置）に位置する場合には、センターケース１４の左部発光装飾部４１Ｌ，右部発光装飾部４１Ｒが発光する発光状態に変更でき、発光手段５０の変位に応じてセンターケース１４の左部発光装飾部４１Ｌ，右部発光装飾部４１Ｒが発光／非発光となり、発光装飾性を向上させることができる。
【００５９】
次に、図８を用いて本発明の第３の実施形態を例示する。前述した第２の実施形態では図７に示すように発光手段５０を透明樹脂製の遊技盤１１の後側で第１位置（開口外位置）と第２位置（開口内位置）とに変位可能としているが、この第３の実施形態では、透明樹脂製の遊技盤１１の後側で第１位置  （開口外位置）と第２位置（開口内位置）との両方に常時位置する発光手段５０を採用している点が、前述した第２の実施形態とは異なっている。他の構成は第２の実施形態と同様である。
【００６０】
なお図８では、左側の発光手段５０について図示していることから、左側の発光手段５０の構成について説明する。左側の発光手段５０は、図８に示すように、透明樹脂製の遊技盤１１の後側で第１位置（開口外位置）に位置する第１発光部７１と、第２位置（開口内位置）に位置する第２発光部７２とを備え、第１発光部７１からの光を透明樹脂製の遊技盤１１の背後箇所に照射し、第２発光部７２からの光を左部発光装飾部４１Ｌに照射するものである。この第１発光部７１及び第２発光部７２は、ＬＥＤ実装基板５２と前カバー部５４とをそれぞれ備えている。
【００６１】
なお、右側の発光手段５０についても基本的に前記と同様であり、第２発光部７２からの光を右部発光装飾部４１Ｒに照射させるものである。
【００６２】
この第３の実施形態では、発光手段５０は、透明樹脂製の遊技盤１１の後側に位置する第１発光部７１により透明樹脂製の遊技盤１１が発光するとともに、透明樹脂製の遊技盤１１の後側で且つセンターケース１４の背後に位置する第２発光部７２からの光によって光透過部（左部発光装飾部４１Ｌ，右部発光装飾部４１Ｒ）が発光するので、透明樹脂製の遊技盤１１とセンターケース１４の光透過部（左部発光装飾部４１Ｌ，右部発光装飾部４１Ｒ）との両方を同時に発光させたり、その一方だけを発光させたりすることができ、透明樹脂製の遊技盤１１及びセンターケース１４の発光装飾性を向上させることができる。
【００６３】
次に、図９を用いて本発明の第４の実施形態を例示する。前述した第１の実施形態では図４に示すように前構造体２１の左側装飾部３０Ｌは左部発光装飾部４１Ｌと非発光装飾部４２とを備え、右側装飾部３０Ｒは右部発光装飾部４１Ｒと非発光装飾部４２とを備えているが、この第４の実施形態では、図９に示すように、この左側装飾部３０Ｌ及び右側装飾部３０Ｒは、発光手段５０を視認可能な窓部４７をさらに備えている点が、前述した第１の実施形態とは異なっている。他の構成は第１の実施形態と同様である。
【００６４】
具体的には、前構造体２１の左側装飾部３０Ｌは、左部発光装飾部４１Ｌと非発光装飾部４２との他に、発光手段５０を視認可能な窓部４７をさらに備えている。また、右側装飾部３０Ｒもこれと同様に、右部発光装飾部４１Ｒと非発光装飾部４２との他に、窓部４７をさらに備えている。
【００６５】
図９では、左側装飾部３０Ｌにおける、発光手段５０の左列のＬＥＤ５１に対応する箇所（例えば対向する箇所）に、前後方向に貫通した所定形状（例えば、模様やキャラクタ等を象った形状）の窓部４７が形成されており、発光手段５０の左列のＬＥＤ５１からの光が窓部４７から直視可能である。また、発光手段５０の右列のＬＥＤ５１からの光が左部発光装飾部４１Ｌに照射され、この左部発光装飾部４１Ｌが発光する。
【００６６】
この第４の実施形態では、センターケース１４は、遊技盤１１の後側に位置する発光手段５０からの光が照射されて発光する左部発光装飾部４１Ｌ，右部発光装飾部４１Ｒと、透明区画部材４０の左側切欠き部４５Ｌ，右側切欠き部４５Ｒの境界部４６を隠す非発光装飾部４２の他に、当該発光手段５０を視認可能な窓部４７をさらに備えているので、センターケース１４の前面側に位置する左部発光装飾部４１Ｌ，右部発光装飾部４１Ｒの発光態様と、この左部発光装飾部４１Ｌ，右部発光装飾部４１Ｒよりも後方で遊技盤１１の後側に位置する発光手段５０を当該センターケース１４の窓部４７を介して直視できる発光手段５０の発光態様と、センターケース１４の左部発光装飾部４１Ｌ，右部発光装飾部４１Ｒの周囲所定箇所に位置し且つ透明区画部材４０の左側切欠き部４５Ｌ，右側切欠き部４５Ｒの境界部４６を隠す非発光装飾部４２の非発光態様と、の三種類の異なる発光態様を提供でき、奥行き感のある発光態様を提供することができる。
【００６７】
次に、図１０を用いて本発明の第５の実施形態を例示する。前述した第２の実施形態では図７に示すように発光手段５０が遊技盤１１の後側で且つ正面視で装着孔１１ａ外の第１位置（開口外位置）と当該装着孔１１ａ内の第２位置（開口内位置）とに変位可能としているが、この第５の実施形態では、発光手段５０が遊技盤１１の後側で且つ正面視で装着孔１１ａ内の複数箇所に変位可能である点が、前述した第２の実施形態とは異なっている。他の構成は第２の実施形態と同様である。
【００６８】
具体的には、センターケース１４は、その左側装飾部３０Ｌに、複数の光透過部としての第１光装飾部５５及び第２光装飾部５６と、発光手段５０を視認可能な窓部４７とを備えている。第５の実施形態では、発光手段５０を、遊技盤１１の後側で且つ正面視で第１光装飾部５５と重なる位置と、第２光装飾部５６と重なる位置と、前記窓部４７に重なる位置と、に変位可能な揺動機構８０（変位手段）を備えている。
【００６９】
この揺動機構８０は、後構造体２３に固定された動力源であるステッピングモータ８１と、このステッピングモータ８１の回転軸８２に基端側８３ａが連結され且つ先端側８３ｂに発光手段５０が装着された揺動アーム部８３と、を備えている。
【００７０】
ステッピングモータ８１の回転軸８２が回動することで、この回転軸８２に基端側８３ａが連結された揺動アーム部８３が当該基端側８３ａを回動軸心としてその先端側８３ｂが揺動し、揺動アーム部８３の先端側８３ｂの発光手段５０が円弧経路上における上側位置（第１光装飾部５５と重なる位置）、中間位置（窓部４７と重なる位置）、下側位置（第２光装飾部５６と重なる位置）に揺動変位する。揺動アーム部８３が上側位置（第１光装飾部５５と重なる位置）に位置する状態において、ステッピングモータ８１の回転軸８２が時計回りに回動することで、発光手段５０は、上側位置（第１光装飾部５５と重なる位置）から中間位置（窓部４７と重なる位置）を経て下側位置（第２光装飾部５６と重なる位置）に移動する。揺動アーム部８３が下側位置（第２光装飾部５６と重なる位置）に位置する状態において、ステッピングモータ８１の回転軸８２が反時計回りに回動することで、発光手段５０は、下側位置（第２光装飾部５６と重なる位置）から中間位置（窓部４７と重なる位置）を経て上側位置（第１光装飾部５５と重なる位置）に移動する。
【００７１】
この第５の実施形態では、センターケース１４は、複数の光透過部としての第１光装飾部５５及び第２光装飾部５６と、発光手段５０を視認可能な窓部４７とを備え、揺動機構８０は、発光手段５０を、遊技盤１１の後側で且つ正面視で第１光装飾部５５と重なる位置と、第２光装飾部５６と重なる位置と、前記窓部４７に重なる位置と、に変位するので、発光手段５０が上側位置（第１光装飾部５５と重なる位置）に位置して当該第１光装飾部５５の発光態様と、発光手段５０が中間位置（窓部４７と重なる位置）に位置してこの窓部４７を介して発光手段５０を直視可能な発光態様と、発光手段５０が下側位置（第２光装飾部５６と重なる位置）に位置して当該第２光装飾部５６の発光態様と、発光手段５０が非発光装飾部４２に位置して当該発光手段５０の一部が遮られる発光態様とを提供できる。
【００７２】
この第５の実施形態では、図１０に示すように揺動アーム部８３の先端の発光手段５０が、遊技盤１１の正面視において装着孔１１ａ内で変位するとしているが、装着孔１１ａ外にまでわたって変位するようにしてもよい。例えば、揺動アーム部８３の基端側８３ａを回動軸心としてその先端側８３ｂが一回転（半回転など、装着孔１１ａ外にまでわたる角度範囲）可能な構成とすることが挙げられる。
【００７３】
なお、この第５の実施形態では、センターケース１４の左側装飾部３０Ｌ及び右側装飾部３０Ｒは、第１光装飾部５５と第２光装飾部５６とを備えているが、単数又は三個以上の複数の光装飾部（光透過部）としてもよい。また、左側装飾部３０Ｌ及び右側装飾部３０Ｒは窓部４７を備えない構成としてもよい。つまり、センターケース１４の左側装飾部３０Ｌ及び右側装飾部３０Ｒは、複数の光透過部（第１光装飾部５５と第２光装飾部５６）を備え、揺動機構８０は、遊技盤１１の後側で且つ正面視で前記複数の光透過部に重なる各位置に発光手段５０を変位する構成が挙げられる。
【００７４】
以上、本発明の実施形態について詳述したが、本発明はこれらの実施形態に限定されるものではなく、本発明の趣旨を逸脱しない範囲で種々の変更が可能である。
【００７５】
なお、前述した各実施形態では、遊技盤１１の後側から装着孔１１ａ箇所に表示画面２２ａの全部が位置するように画像表示手段２２が配設されているが、装着孔１１ａ箇所に表示画面２２ａの一部が位置するようにしてもよい。また、発光手段５０は、遊技盤１１の背面よりも後側に位置しているが、当該遊技盤１１の表面（遊技領域１３の面）よりも後側に位置するようにしてもよい。
【００７６】
なお、遊技盤１１としては、前述した各実施形態において例示したもの、つまり、合板（ベニヤ板）により形成される木製のものや、透明樹脂により形成される透明樹脂製のもの（透明遊技盤）の他に、一部が透明な遊技盤などが挙げられる。一部が透明な遊技盤としては、木製の遊技盤１１又は不透明樹脂製の遊技盤１１における発光手段５０の配設箇所に、透明部（例えば透明樹脂成形品）を配設したものが挙げられる。
【００７７】
また、前述の実施形態では、センターケース１４の正面視で左端箇所（左部発光装飾部４１Ｌ）や右端箇所（右部発光装飾部４１Ｒ）を発光手段５０により発光させているが、センターケース１４の上端箇所や下端箇所など任意の箇所を発光させるようにしてもよい。
【００７８】
また、前述の実施形態では、発光手段５０はＬＥＤ実装基板のＬＥＤ５１を例に挙げているが、各種のランプやＥＬ（エレクトロルミネセンス）ランプを採用してもよい。
【００７９】
また、前述の実施形態では、透明区画部材４０（透明仕切り板）を前構造体２１に装着しているが、後構造体２３や遊技盤１１に装着するようにしてもよい。
【００８０】
また、前述した実施形態では、透明区画部材４０は、表示画面２２ａ全体（又は略全体）に備える構成としているが、ステージ２６の仕切り壁（区画壁）としてもよい。具体的には、透明区画部材４０は、例えばステージ２６の奥端側に配設され、ステージ２６を揺動（転動）する遊技球が当該ステージ２６よりも後方に進入することを低減する透明な仕切り壁とするものが挙げられる。そして、ステージ２６の仕切り壁に対応するように発光手段５０が位置する構成などを採用してもよい。また、透明区画部材４０を、センターケース１４に配設される遊技球の進入低減用、装飾部品や可動部材の保護用など各種の透明な仕切り壁とし、かかる仕切り壁に発光手段５０が位置する構成としてもよい。
【００８１】
また、前述の第２及び第５の実施形態では、その発光手段５０は可動役物の一部を構成するものとしてもよい。例えば、可動役物の一部である発光手段５０が変位してこの発光手段５０によって光透過部（例えば左部発光装飾部４１Ｌ）の背後に光照射されるようにしたり、可動役物自体が変位することでその発光手段５０によって光透過部（例えば左部発光装飾部４１Ｌ）の背後に光照射されるようにしたりする構成が挙げられる。この場合には、可動役物自体又はその発光手段５０の変位によって光透過部（例えば左部発光装飾部４１Ｌ）が発光するという発光装飾と、当該可動役物の変位による動的変化とによって遊技の興趣性を向上させることができる。
【００８２】
前述した実施形態では、サブ制御基板（図示省略）は光透過部（例えば、左部発光装飾部４１Ｌ、右部発光装飾部４１Ｒ）を発光（電飾）制御しているが、遊技動作を統括的に制御し且つサブ制御基板を制御する主制御基板（図示省略）が発光（電飾）制御してもよい。
【００８３】
また本発明は、アレンジボール機、雀球遊技機等の他の遊技機においても同様に実施することが可能である。
【００８４】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【００８５】
１１    遊技盤
１１ａ  装着孔（開口）
１３    遊技領域
１４    センターケース（装飾部材）
２２    画像表示手段
２２ａ  表示画面
４０    透明区画部材（透明仕切り板）
４１Ｌ  左部発光装飾部（光透過部）
４１Ｒ  右部発光装飾部（光透過部）
４２    非発光装飾部（非発光部）
４３    視認開口部（視認窓）
４５Ｌ  左側切欠き部（切欠き部）
４５Ｒ  右側切欠き部（切欠き部）
４６    境界部
４７    窓部
５０    発光手段
６０    変位機構（変位手段）
７１    第１発光部
７２    第２発光部
８０    揺動機構（変位手段）
【図１】
2014083242.tif 000003
【図２】
2014083242.tif 000004
【図３】
2014083242.tif 000005
【図４】
2014083242.tif 000006
【図５】
2014083242.tif 000007
【図６】
2014083242.tif 000008
【図７】
2014083242.tif 000009
【図８】
2014083242.tif 000010
【図９】
2014083242.tif 000011
【図１０】
2014083242.tif 000012
【図１１】
2014083242.tif 000013